(57)【要約】【課題】振動センサを簡単に固定することにより、良好な感度で漏水を検出できる漏水検知機能付量水器を提供する。【解決手段】筐体６と、漏水によって水道管で発生される振動を検出する振動センサ９と、筐体６に収容されて水の流量を計測して表示する計量・表示部７を支持する支持機構部品８と、振動センサ９を筐体６の一部に固定するための固定部材１０とを備えている。【選択図】図１
2005214843.tif 000002
【特許請求の範囲】
【請求項１】
筐体と、
漏水によって水道管で発生される振動を検出する振動センサと、
前記筐体に収容され、水の流量を計測して表示する計量・表示部を支持する支持機構部品と、
前記振動センサを前記筐体の一部に固定するための固定部材と、
を備えたことを特徴とする漏水検知機能付量水器。
【請求項２】
前記固定部材は、前記支持機構部品と一体成形され、前記振動センサを前記筐体の一部に固定する固定爪からなることを特徴とする請求項１記載の漏水検知機能付量水器。
【請求項３】
前記固定部材は、前記支持機構部品と一体成形され、前記振動センサを前記筐体の一部に押圧して固定する固定樹脂バネからなることを特徴とする請求項１記載の漏水検知機能付量水器。
【請求項４】
前記固定部材は、前記支持機構部品と前記振動センサとの間に挿入され、前記振動センサを前記筐体の一部に押圧するバネからなることを特徴とする請求項１記載の漏水検知機能付量水器。
【請求項５】
前記固定部材は、前記振動センサを前記筐体の一部に固定するように形成された固定枠部からなり、前記支持機構部品、前記固定枠部及び前記振動センサは一体成形されることを特徴とする請求項１記載の漏水検知機能付量水器。
【請求項６】
前記固定部材は、前記支持機構部品と一体成形され、且つねじが形成された固定枠部からなり、
前記振動センサにはねじが形成され、該ねじが前記固定枠部に形成されたねじに螺合された状態で前記振動センサは前記筐体の一部に固定されることを特徴とする請求項１記載の漏水検知機能付量水器。
【請求項７】
前記固定部材は、前記筐体と一体成形され、前記振動センサを固定する固定枠部からなることを特徴とする請求項１記載の漏水検知機能付量水器。
【請求項８】
前記固定部材は、前記筐体と一体成形され、且つねじが形成された固定枠部からなり、
前記振動センサにはねじが形成され、該ねじが前記固定枠部に形成されたねじに螺合されることにより、前記筐体の一部に固定されることを特徴とする請求項１記載の漏水検知機能付量水器。
【発明の詳細な説明】
【技術分野】
【０００１】
本発明は、漏水検知機能付量水器に関し、特に漏水を検知するための振動センサを取り付けるための構造に関する。
【背景技術】
【０００２】
従来、ユーザが使用した水量を計測する量水器が知られている。図８はこのような従来の量水器の側断面図である。この量水器は、大きく分けると、上ケース１と下ケース２とから構成されている。
【０００３】
下ケース２の下部には、流入口２ａと流出口２ｂとが設けられており、流入口２ａは上流側の図示しない水道管に接続され、流出口２ｂは下流側の図示しない水道管に接続される。下ケース２の内部の流入口２ａと流出口２ｂとの間には、羽根車３が設けられている。この羽根車３は、水が流入口２ａから流出口２ｂへ流れることにより回転する。羽根車３の回転は、その上方に設けられた計量・表示部ユニット４に伝達される。
【０００４】
計量・表示部ユニット４は、羽根車３の回転数を流量に変換して表示する。図９は計量・表示部ユニット４の構造を示す側断面図である。計量・表示部ユニット４は、筐体６に収容された支持機構部品８と、この支持機構部品８に支持された計量・表示部７と、計量・表示部７の上部に被せられた表示窓５とから構成されている。
【０００５】
計量・表示部７は、羽根車３から伝達される回転数を計測し、流量（水の使用量）に変換して数値で表示する。また、計量・表示部７に被せられた表示窓５は、筐体６の上部と面一に配置され、且つ筐体６の内部に浸水しないように、水密に筐体６に嵌合されている。ユーザは、表示窓５を介して計量・表示部７に表示された数値を見ることにより水の使用量を知ることができるようになっている。
【０００６】
上ケース１は、下ケース２に螺合されることにより、計量・表示部ユニット４を下ケース２の内部に堅固に固定する。このように構成される量水器が水の需要家に設置され、計量・表示部７に表示された数値に応じて課金が行われるようになっている。
【０００７】
ところで、量水器が設置された水道システムにおいて、老朽化や外部からの加圧などに起因して水道管に亀裂が生じ、量水器の下流側で漏水が発生することがある。漏水を検知する方法として、従来、検査員が音聴棒を水道管に当てて水道管で発生される音を聞き、漏水の有無を判断する方法が知られている。この方法では、検査員は、種々の雑音の中から微かな漏水音を聞き分ける必要があり、多くの経験とノウハウが要求される。
【０００８】
そこで、近年は、漏水検査器と呼ばれる電子機器を用いて漏水を調査することが行われている。漏水検査器は、水道管に取り付けられたピックアップ（振動センサ）から得られる信号をコンピュータで処理することにより分析を行い、この分析結果に基づいて漏水の有無や漏水位置を判断する。
【０００９】
なお、関連する技術として、特許文献１の漏れ検知機能つきの量水器は、水道管内の漏水振動を検知する圧力−電気変換器と、圧力−電気変換器の信号を増幅する検出回路と、検出回路の検出信号を外部へ取り出す出力端子とを含む漏水検知部を量水器と一体構造として設け、その出力端子に外部の判定回路を接続することによって漏水を検知するものである。
【特許文献１】特開昭５７−７４６３５号公報
【発明の開示】
【発明が解決しようとする課題】
【００１０】
しかしながら、上述した従来の漏水検査器は、振動センサを水道管に取り付ける必要があるので、水道管が地中に埋設されていたり、構造物に組み込まれていたりすると、振動センサを水道管に取り付けることが困難になるという問題がある。
【００１１】
また、振動センサを水道管に取り付けて漏水を検査する場合には、振動センサを水道管に密着させて固定しないと、良好な感度が得られない。
【００１２】
本発明は、振動センサを簡単に固定することにより、良好な感度で漏水を検出できる漏水検知機能付量水器を提供することにある。
【課題を解決するための手段】
【００１３】
第１の発明に係る量水器は、筐体と、漏水によって水道管で発生される振動を検出する振動センサと、筐体に収容され、水の流量を計測して表示する計量・表示部を支持する支持機構部品と、振動センサを筐体の一部に固定するための固定部材とを備えたことを特徴とする。
【００１４】
第２の発明に係る量水器は、第１の発明に係る量水器において、固定部材は、支持機構部品と一体成形され、振動センサを筐体の一部に固定する固定爪からなることを特徴とする。
【００１５】
第３の発明に係る量水器は、第１の発明に係る量水器において、固定部材は、支持機構部品と一体成形され、振動センサを筐体の一部に押圧して固定する固定樹脂バネからなることを特徴とする。
【００１６】
第４の発明に係る量水器は、第１の発明に係る量水器において、固定部材は、支持機構部品と振動センサとの間に挿入され、振動センサを筐体の一部に押圧するバネからなることを特徴とする。
【００１７】
第５の発明に係る量水器は、第１の発明に係る量水器において、固定部材は、振動センサを筐体の一部に固定するように形成された固定枠部からなり、支持機構部品、固定枠部及び振動センサは一体成形されることを特徴とする。
【００１８】
第６の発明に係る量水器は、第１の発明に係る量水器において、固定部材は、支持機構部品と一体成形され、且つねじが形成された固定枠部からなり、振動センサにはねじが形成され、該ねじが固定枠部に形成されたねじに螺合された状態で前記振動センサは筐体の一部に固定されることを特徴とする。
【００１９】
第７の発明に係る量水器は、第１の発明に係る量水器において、固定部材は、筐体と一体成形され、振動センサを固定する固定枠部からなることを特徴とする。
【００２０】
第８の発明に係る量水器は、第１の発明に係る量水器において、固定部材は、筐体と一体成形され、且つねじが形成された固定枠部からなり、振動センサは、ねじが形成され、該ねじが固定枠部に形成されたねじに螺合されることにより、筐体の一部に固定されることを特徴とする。
【発明の効果】
【００２１】
本発明に係る量水器によれば、漏水を検出するための振動センサを、固定部材を用いて筐体に固定するように構成したので、良好な感度で漏水を検出できる。
【発明を実施するための最良の形態】
【００２２】
以下、本発明の実施例に係る漏水検知機能付量水器を、図面を参照しながら詳細に説明する。
【００２３】
なお、以下で説明する各実施例では、本発明に係る量水器で使用される計量・表示部ユニットの構成が、図９を参照して説明した従来の量水器の計量・表示部ユニット４と異なるのみであるので、計量・表示部ユニット４を中心に説明する。
【実施例１】
【００２４】
本発明の実施例１に係る量水器は、計量・表示部ユニットの支持機構部品に、振動センサを取り付けるための固定爪を一体成形により設け、振動センサを筐体に固定するようにしたものである。
【００２５】
図１は本発明の実施例１に係る量水器で使用される計量・表示部ユニットの構造を示す側断面図である。この計量・表示部ユニットは、筐体６に収容されたプラスチック等からなる支持機構部品８と、この支持機構部品８に支持された計量・表示部７と、計量・表示部７の上部に被せられたガラス等からなる表示窓５と、プラスチック等からなる筐体６の底部に配置された振動センサ９とから構成されている。表示窓５、筐体６及び計量・表示部７の構造及び機能は、従来の技術の欄で図９を参照して説明したそれらと同じである。
【００２６】
支持機構部品８は、その底部に固定爪１０が一体成形により設けられている。この固定爪１０は、本発明の固定部材に対応し、支持機構部品８の底部に穿たれた穴に挿入された振動センサ９を保持する。
【００２７】
この計量・表示部ユニットの組み立ては、次のようにして行われる。まず、振動センサ９が支持機構部品８の底部の穴に挿入されて固定爪１０で保持されるように取り付けられる。次に、支持機構部品８に計量・表示部７が取り付けられる。その後、振動センサ９及び計量・表示部７が取り付けられた支持機構部品８が筐体６の中に納められる。
【００２８】
次に、表示窓５が支持機構部品８の上に載置されるようにして、筐体６の中に納められる。以上の手順で組み立てが完了した状態において、振動センサ９は筐体６の底部に固定される。
【００２９】
以上説明したように、本発明の実施例１に係る量水器によれば、漏水を検出するための振動センサ９を内蔵しているので、漏水を早期に発見することができる。また、振動センサ９を、固定爪１０を用いて筐体６の底部に固定するように構成したので、水道管からの漏水を高感度で検出できる。さらに、振動センサ９の固定に接着剤などを使用する必要がないため、接着剤の乾燥時間は不要であり、短時間で組立てを行うことができ、漏水検知機能付量水器を安価に製造することが可能になる。
【実施例２】
【００３０】
本発明の実施例２に係る量水器は、計量・表示部ユニットの支持機構部品に、振動センサを取り付けるための固定樹脂バネを一体成形により設け、振動センサを筐体に固定するようにしたものである。
【００３１】
図２は本発明の実施例２に係る量水器で使用される計量・表示部ユニットの構造を示す側断面図である。この計量・表示部ユニットは、支持機構部品８と、計量・表示部７と、表示窓５と、筐体６の底部に配置された振動センサ９とから構成されている。表示窓５、筐体６及び計量・表示部７の構造及び機能は、従来の技術の欄で図９を参照して説明したそれらと同じである。
【００３２】
支持機構部品８は、その底部にプラスチック等からなる固定樹脂バネ１１が一体成形により設けられている。この固定樹脂バネ１１は、本発明の固定部材に対応し、支持機構部品８の底部に穿たれた穴に挿入された振動センサ９を保持するとともに、筐体６の底部に押圧する。
【００３３】
この計量・表示部ユニットの組み立ては、次のようにして行われる。まず、振動センサ９が支持機構部品８の底部の穴に挿入され、固定樹脂バネ１１で保持されるように取り付けられる。次に、支持機構部品８に計量・表示部７が取り付けられる。その後、振動センサ９及び計量・表示部７が取り付けられた支持機構部品８が筐体６の中に納められる。
【００３４】
次に、表示窓５が、支持機構部品８の上に載置されるようにして、筐体６の中に納められる。以上の手順で組み立てが完了した状態において、振動センサ９は固定樹脂バネ１１によって筐体６の底部に押圧され、堅固に固定される。
【００３５】
以上説明したように、本発明の実施例２に係る量水器によれば、実施例１に係る量水器と同様の効果を奏するとともに、振動センサ９を、固定樹脂バネ１１を用いて筐体６の底部に押圧して固定するように構成したので、筐体６と振動センサ９との密着度が実施例１に係る量水器に比べて大きくなり、水道管からの漏水を実施例１に係る量水器よりも高感度で検出できる。
【実施例３】
【００３６】
本発明の実施例３に係る量水器は、計量・表示部ユニットの支持機構部品と振動センサとの間にバネを設け、振動センサを筐体に固定するようにしたものである。
【００３７】
図３は本発明の実施例３に係る量水器で使用される計量・表示部ユニットの構造を示す側断面図である。この計量・表示部ユニットは、支持機構部品８と、計量・表示部７と、表示窓５と、筐体６の底部に配置された振動センサ９と、支持機構部品８と振動センサ９との間に配置されたバネ１２とから構成されている。表示窓５、筐体６及び計量・表示部７の構造及び機能は、従来の技術の欄で図９を参照して説明したそれらと同じである。
【００３８】
支持機構部品８は、その底部に振動センサ９を保持するための穴が穿たれている。バネ１２は、本発明の固定部材に対応し、振動センサ９と支持機構部品８に設けられた中仕切との間に挿入されて、振動センサ９を筐体６の底部に押圧する。
【００３９】
この計量・表示部ユニットの組み立ては、次のようにして行われる。まず、支持機構部品８の底部の穴にバネ１２が挿入された後に、振動センサ９が挿入されて該穴に保持されるように取り付けられる。次に、支持機構部品８に計量・表示部７が取り付けられる。その後、バネ１２、振動センサ９及び計量・表示部７が取り付けられた支持機構部品８が筐体６の中に納められ、次に、表示窓５が、支持機構部品８の上に載置されるようにして、筐体６の中に納められる。以上の手順で組み立てが完了した状態において、振動センサ９はバネ１２によって筐体６の底部に押圧され、堅固に固定される。
【００４０】
以上説明したように、本発明の実施例３に係る量水器によれば、実施例１に係る量水器と同様の効果を奏するとともに、振動センサ９を、バネ１２を用いて筐体６の底部に押圧して固定するように構成したので、筐体６と振動センサ９との密着度が実施例１に係る量水器に比べて大きくなり、水道管からの漏水を実施例１に係る量水器よりも高感度で検出できる。また、支持機構部品８の形状が実施例１及び実施例２のそれに比べて簡単になるので、支持機構部品８を成形するための金型を安価に製造できる。
【実施例４】
【００４１】
本発明の実施例４に係る量水器は、計量・表示部ユニットの支持機構部品及び振動センサを固定する固定枠部に加え、さらに振動センサをも一体成形して振動センサを筐体に固定するようにしたものである。
【００４２】
図４は本発明の実施例４に係る量水器で使用される計量・表示部ユニットの構造を示す側断面図である。この計量・表示部ユニットは、支持機構部品８と、計量・表示部７と、表示窓５と、支持機構部品８と一体成形されて筐体６の底部に配置される振動センサ９とから構成されている。表示窓５、筐体６及び計量・表示部７の構造及び機能は、従来の技術の欄で図９を参照して説明したそれらと同じである。
【００４３】
支持機構部品８は、その底部には、固定枠部１３が一体成形により設けられ、さらに、振動センサ９が一体成形により固定枠部１３に保持されている。この固定枠部１３は、本発明の固定部材に対応し、振動センサ９を保持する。
【００４４】
この計量・表示部ユニットの組み立ては、次のようにして行われる。まず、一体成形により振動センサ９が保持されている支持機構部品８に計量・表示部７が取り付けられる。次に、計量・表示部７が取り付けられた支持機構部品８が筐体６の中に納められ、次に、表示窓５が、支持機構部品８の上に載置されるようにして、筐体６の中に納められる。以上の手順で組み立てが完了した状態において、振動センサ９は筐体６の底部に固定される。
【００４５】
以上説明したように、本発明の実施例４に係る量水器によれば、実施例１に係る量水器と同様の効果を奏するとともに、支持機構部品８、固定枠部１３及び振動センサ９を一体成形により製造するようにしたので、振動センサ９を支持機構部品８に取り付ける工程を省略することができ、上述した実施例１〜実施例３に比べて組み立て工数を減らすことができる。その結果、漏水検知機能付量水器を安価に製造することが可能になる。
【実施例５】
【００４６】
本発明の実施例５に係る量水器は、計量・表示部ユニットの支持機構部品に振動センサを取り付けるためのねじが形成された固定枠部を一体成形により設けるとともに、振動センサにねじを形成し、支持機構部品の固定枠部に振動センサを螺合させた状態で、振動センサを筐体に固定するようにしたものである。
【００４７】
図５は本発明の実施例５に係る量水器で使用される計量・表示部ユニットの構造を示す側断面図である。この計量・表示部ユニットは、支持機構部品８と、計量・表示部７と、表示窓５と、筐体６の底部に配置された振動センサ９とから構成されている。表示窓５、筐体６及び計量・表示部７の構造及び機能は、従来の技術の欄で図９を参照して説明したそれらと同じである。
【００４８】
支持機構部品８は、その底部には、雌ねじが形成された固定枠部１４が一体成形により設けられている。また、振動センサ９の外周には雄ねじが形成されている。固定枠部１４は、本発明の固定部材に対応する。固定枠部１４は、それに形成された雌ねじに振動センサ９に形成された雄ねじが螺合されることにより、該振動センサ９を保持する。
【００４９】
この計量・表示部ユニットの組み立ては、次のようにして行われる。まず、振動センサ９が支持機構部品８の固定枠部１４に螺合されることにより支持機構部品８に取り付けられる。次に、支持機構部品８に計量・表示部７が取り付けられる。その後、振動センサ９及び計量・表示部７が取り付けられた支持機構部品８が筐体６の中に納められ、次に、表示窓５が、支持機構部品８の上に載置されるようにして、筐体６の中に納められる。以上の手順で組み立てが完了した状態において、振動センサ９は筐体６の底部に固定される。
【００５０】
以上説明したように、本発明の実施例５に係る量水器によれば、実施例１に係る量水器と同様の効果を奏するとともに、振動センサ９を、ねじによって支持機構部品８に取り付けるように構成したので、上述した実施例１〜実施例３に比べて、振動センサ９の支持機構部品８への取り付けが確実になり、組み立て作業が容易になる。
【実施例６】
【００５１】
本発明の実施例６に係る量水器は、計量・表示部ユニットの筐体に振動センサを取り付けるための固定枠部を一体成形により設け、振動センサを筐体に固定するようにしたものである。
【００５２】
図６は本発明の実施例６に係る量水器で使用される計量・表示部ユニットの構造を示す側断面図である。この計量・表示部ユニットは、支持機構部品８と、計量・表示部７と、表示窓５と、筐体６に取り付けられた振動センサ９とから構成されている。表示窓５及び計量・表示部７の構造及び機能は、従来の技術の欄で図９を参照して説明したそれらと同じである。
【００５３】
筐体６の底部には、振動センサ９を固定するための凹部を有する固定枠部１５が一体成形により設けられている。この固定枠部１５は、本発明の固定部材に対応し、その凹部に振動センサ９を保持する。支持機構部品８は、その底部には、振動センサ９及び固定枠部１５が遊嵌される穴が形成されている。
【００５４】
この計量・表示部ユニットの組み立ては、次のようにして行われる。まず、振動センサ９が筐体６の底部に設けられた固定枠部１５の凹部に挿入されて固定される。次に、支持機構部品８に計量・表示部７が取り付けられる。その後、計量・表示部７が取り付けられた支持機構部品８が筐体６の中に納められ、次に、表示窓５が、支持機構部品８の上に載置されるようにして、筐体６の中に納められる。以上の手順で組み立てが完了した状態において、振動センサ９は筐体６の底部に固定されている。
【００５５】
以上説明したように、本発明の実施例６に係る量水器によれば、実施例１に係る量水器と同様の効果を奏するとともに、振動センサ９を、筐体６の底部に設けられた固定枠部１５に直接取り付けるように構成したので、水道管からの漏水をより高感度で検出できる。また、支持機構部品８の形状が簡単になり、支持機構部品８を成形するための金型を安価に製造できる。
【実施例７】
【００５６】
本発明の実施例７に係る量水器は、計量・表示部ユニットの筐体に振動センサを取り付けるためのねじが形成された固定枠部を一体成形により設けるとともに、振動センサにねじを形成し、筐体の固定枠部に振動センサを螺合させることにより、振動センサを筐体に固定するようにしたものである。
【００５７】
図７は本発明の実施例７に係る量水器で使用される計量・表示部ユニットの構造を示す側断面図である。この計量・表示部ユニットは、支持機構部品８と、計量・表示部７と、表示窓５と、筐体６に取り付けられた振動センサ９とから構成されている。表示窓５及び計量・表示部７の構造及び機能は、従来の技術の欄で図９を参照して説明したそれらと同じである。
【００５８】
筐体６の底部には、振動センサ９を固定するための凹部を有する固定枠部１６が一体成形により設けられており、固定枠部１６の凹部の内壁には雌ねじが形成されている。また、振動センサ９の外周には雄ねじが形成されている。固定枠部１６は、本発明の固定部材に対応し、その凹部に形成された雌ねじに振動センサ９に形成された雄ねじが螺合されることにより、該振動センサ９を保持する。
【００５９】
この計量・表示部ユニットの組み立ては、次のようにして行われる。まず、振動センサ９が筐体６の底部に設けられた固定枠部１５の凹部に螺合されて固定される。次に、支持機構部品８に計量・表示部７が取り付けられる。その後、計量・表示部７が取り付けられた支持機構部品８が筐体６の中に納められ、次に、表示窓５が、支持機構部品８の上に載置されるようにして、筐体６の中に納められる。以上の手順で組み立てが完了した状態において、振動センサ９は筐体６の底部に固定されている。
【００６０】
以上説明したように、本発明の実施例６に係る量水器によれば、実施例６に係る量水器と同様の効果を奏するとともに、筐体６と振動センサ９との密着度を実施例６に係る量水器に比べて大きくすることができるので、水道管からの漏水を実施例６に係る量水器よりも高感度で検出できる。
【産業上の利用可能性】
【００６１】
本発明に係る漏水検知機能付量水器は、水に限らずその他の液体や気体の流量を計量する計測器、例えば配管のガス漏れを音により検知するガス漏れ検知機能付ガスメータにも適用可能である。
【図面の簡単な説明】
【００６２】
【図１】本発明の実施例１に係る量水器で使用される計量・表示部ユニットの構造を示す側断面図である。
【図２】本発明の実施例２に係る量水器で使用される計量・表示部ユニットの構造を示す側断面図である。
【図３】本発明の実施例３に係る量水器で使用される計量・表示部ユニットの構造を示す側断面図である。
【図４】本発明の実施例４に係る量水器で使用される計量・表示部ユニットの構造を示す側断面図である。
【図５】本発明の実施例５に係る量水器で使用される計量・表示部ユニットの構造を示す側断面図である。
【図６】本発明の実施例６に係る量水器で使用される計量・表示部ユニットの構造を示す側断面図である。
【図７】本発明の実施例７に係る量水器で使用される計量・表示部ユニットの構造を示す側断面図である。
【図８】従来の量水器の構造を示す側断面図である。
【図９】従来の量水器で使用される計量・表示部ユニットの構造を示す側断面図である。
【符号の説明】
【００６３】
１  上ケース
２  下ケース
２ａ  流入口
２ｂ  流出口
３  羽根車
４  計量・表示部ユニット
５  表示窓
６  筐体
７  計量・表示部
８  支持機構部品
９  振動センサ
１０  固定爪
１１  固定樹脂バネ
１２  バネ
１３、１４１５、１６」  固定枠部
【図１】
2005214843.tif 000003
【図２】
2005214843.tif 000004
【図３】
2005214843.tif 000005
【図４】
2005214843.tif 000006
【図５】
2005214843.tif 000007
【図６】
2005214843.tif 000008
【図７】
2005214843.tif 000009
【図８】
2005214843.tif 000010
【図９】
2005214843.tif 000011